(57)【要約】【課題】  介護等において必須品である、被介護者である高齢者が栄養を取得するために使用する吸い飲み容器を、介護者の指先等に負担を掛けずに、短時間で、容易に洗浄することができる洗浄ブラシ装置の提供を目的とする。【解決手段】  本考案に係る洗浄ブラシ装置は、外縁形状が円錐形状となるように形成された洗浄部と、使用者が手で持つための持手部と、前記洗浄部から前記持手部に至って延在され使用時に屈曲される柄部とを有することを特徴とする。【選択図】  図３
0003146257.tif 000002
【実用新案登録請求の範囲】
【請求項１】
外縁形状が円錐形状となるように形成された洗浄部と、
使用者が手で持つための持手部と、
前記洗浄部から前記持手部に至って延在され使用時に屈曲される柄部とを有することを特徴とする洗浄ブラシ装置。
【請求項２】
前記柄部は、金属部材、熱硬化性樹脂部材、又は弾性部材から形成されることを特徴とする請求項１に記載の洗浄ブラシ装置。
【請求項３】
前記柄部は、補強材を埋設することを特徴とする請求項１及び請求項２に記載の洗浄ブラシ装置。
【請求項４】
前記柄部は、スプリング部材、又は螺旋管から形成されることを特徴とする請求項１に記載の洗浄ブラシ装置。
【請求項５】
前記柄部は、線ブレードで被覆されることを特徴とする請求項１に記載の洗浄ブラシ装置。
【請求項６】
前記洗浄部は、多数の洗浄毛、又は発泡部材から形成されることを特徴とする請求項１に記載の洗浄ブラシ装置。
【考案の詳細な説明】
【技術分野】
【０００１】
本考案は、介護用の吸い飲み容器等の内壁を洗浄するための洗浄ブラシ装置に関する。
【背景技術】
【０００２】
従来、介護用の吸い飲み容器を洗浄する場合、スポンジや洗浄ブラシ等の洗浄器具が使用されている。具体的には、吸い飲み容器の吸い飲み口、若しくは、吸い飲み容器の上部に設けられた液体注入口から、洗剤と水を含ませた洗浄器具を挿入し吸い飲み容器の内壁を擦ることで、付着物を除去している(例えば、実用新案文献１参照。)。
【０００３】
【特許文献１】登録実用新案公報第３０２３６６３号
【考案の開示】
【考案が解決しようとする課題】
【０００４】
しかしながら、吸い飲み容器は、被介護者である高齢者が栄養を取得するための容器であるため、お茶や水等に比べて粘度の高い栄養剤や溶き卵等を入れて使用することが多い。このため、吸い飲み容器の内壁に付着した付着物の除去は容易では無い。しかし、付着物を完全に除去しなければ、免疫力が低下した高齢者にとって、食中毒等の恐れが生じる。さらに、高齢者を介護している介護者も年配者である場合が多く、高齢者の介護で疲労している状態で、複雑な形状を有する吸い飲み容器を十分に洗浄することは酷である。
【０００５】
特に、指先又は手先の自由が利かない介護者にとって、吸い飲み容器の内部に設けられた先細り形状の吸い飲み口に洗浄ブラシを挿入して洗浄することは容易ではない。また、吸い飲み容器は、朝食時、昼食時、夕食時、及び薬の服用時などに使用することから、使用頻度は高い。なお、被介護者が一人である場合でも、一回の食事で複数の吸い飲み容器を使い分けて使用することが多い。このため、一日に複数回にわたり吸い飲み容器を洗浄する必要が有る。
【０００６】
上述した通り、介護者にとって、吸い飲み容器の洗浄には大きな労力が掛かるという問題があった。そこで、本考案は前述の課題に鑑み、介護者の指先等に負担を掛けずに、短時間で、容易に洗浄できる洗浄ブラシ装置の提供を目的とする。
【課題を解決するための手段】
【０００７】
前述の課題を解決すべく、本考案に係る洗浄ブラシ装置は、外縁形状が円錐形状となるように形成された洗浄部と、使用者が手で持つための持手部と、前記洗浄部から前記持手部に至って延在され使用時に屈曲される柄部とを有することを特徴とする。
【考案の効果】
【０００８】
本考案に係る洗浄ブラシ装置によれば、介護等において必需品である吸い飲み容器を、本考案の洗浄ブラシ装置を用いて、介護者の指先等に負担を掛けずに、短時間で、容易に洗浄することができる。
【考案を実施するための最良の形態】
【０００９】
以下、本考案の洗浄ブラシ装置に係る好適な実施形態について図面を参照しながら説明する。なお、本考案の洗浄ブラシ装置は、以下の記述に限定されるものではなく、本考案の要旨を逸脱しない範囲において、適宜変更可能である。
【００１０】
[第１の実施形態]
第１の実施形態に係る洗浄ブラシ装置は、外縁形状が円錐形状となるように形成された洗浄部と、使用者が手で持つための持手部と、前記洗浄部から前記持手部に至って延在され使用時に屈曲される柄部等から構成される。このような構成にすることで、高齢者の介護等において使用する吸い飲み容器を、介護者の指先等に負担を掛けずに、短時間で、容易に洗浄することを特徴とする。
【００１１】
まず、本実施形態の洗浄ブラシ装置１の構造について説明する。図１に洗浄ブラシ装置１の斜視図を示し、図２に洗浄ブラシ装置１の断面図を示す。
【００１２】
洗浄ブラシ装置１は、後述する吸い飲み容器２１の内壁に当接させて内壁に付着した付着物を除去する洗浄部２と、洗浄部２を構成する多数の洗浄毛６を一体に植毛して保持する洗浄基材部３と、洗浄ブラシ装置１を手でつかむための持手部４と、洗浄基材部３及び持手部４と接合し吸い飲み容器２１の内部形状に合わせて屈曲可能とさせた柄部５とを有する。以下、洗浄ブラシ装置１に含まれる各構成部材について、図１及び図２を参照しながら具体的に説明する。
【００１３】
洗浄部２は、吸い飲み容器２１の内壁に当接しながら動作させることにより内壁に付着した付着物を除去する多数の洗浄毛６から成る。この様な洗浄毛６は、後述する洗浄基材部３の円筒形状部に放射状に植毛され、且つ、洗浄部２の先端に対して先細りになるような円錐形状部から形成される。具体的には、洗浄部２は、例えば長さ１００ｍｍ及び下部直径３０ｍｍの円錐形状部から形成する。従って、洗浄基材部３の円筒形状部に植毛した洗浄毛６の長さは、洗浄部２の先端部で最も短く、洗浄部２の下部で最も長い。上述した通り、洗浄部２を円錐形状部とすることによって、吸い飲み容器２１に設けられた吸い飲み口２１Ｂの内壁に対して、洗浄部２を隙間無く当接させることができる。なお、図１及び図２に示した洗浄部２の洗浄毛６は、洗浄基材部３に対する植毛の状態の理解を容易にするために、一定量を間引いて描画している。このため、実際には洗浄部２の洗浄毛６はより密に植毛されている。この様な洗浄毛６は、例えばナイロン等の材質から成り、例えば直径０．２ｍｍで形成される。なお、洗浄毛６を洗浄基材部３に放射状に密に植毛することで、吸い飲み容器２１の洗浄効果を高め、且つ、洗浄基材部３が吸い飲み容器２１の内壁に接触することにより発生する引っ掻き傷等を防止することが好ましい。なお、洗浄部２は、全体として円錐形状の発泡ポリエチレン等の発泡部材で形成しても良い。
【００１４】
洗浄基材部３は、洗浄部２を構成する多数の洗浄毛６を一体に植毛して保持する。洗浄基材部３は、例えばＡＢＳ樹脂のような剛性及び耐衝撃性等の機械的特性に優れた樹脂から成り、例えば長さ９５ｍｍ、外径５．５ｍｍ、及び内径３．５ｍｍの円筒形状部から形成される。また、洗浄基材部３は、柄部５の一端を挿入して固定する。なお、洗浄基材部３に柄部５を挿入した後の固定は、非水溶性の接着剤による接着固定や加熱による溶着固定等により行う。但し、上述した構成に限定するものではなく、洗浄基材部３を設けず、後述する柄部５の一端に直接植毛しても良い。また、例えば洗浄基材部３を長さ９５ｍｍ及び外径５．５ｍｍの円柱形状部から形成することで、洗浄基材部３の一端に柄部５の一端を直接接合しても良い。
【００１５】
持手部４は、使用者が洗浄ブラシ装置１を手でつかむため部材である。持手部４は、例えばポリプロピレン樹脂のような非吸湿性及び耐薬品性を有するプラスチックから成り、例えば長さ１３０ｍｍ、外径１０ｍｍ、及び内径３．５ｍｍの円筒形状部から形成される。なお、この様な円筒形状部は、断面が矩形、楕円、多角形等を成す棒形状部としても良い。なお、円筒形状部の内部に設けた例えば内径３．５ｍｍの挿入孔は、例えば深さ１０ｍｍのザグリ穴又は貫通穴等とする。また、持手部４は、柄部５の他端を挿入して固定する。なお、持手部４と柄部５の固定は、加熱による溶着固定、非水溶性の接着剤による接着固定、及びセットスクリュネジ等を用いた圧着固定等により行う。但し、上述した構成に限定するものではなく、例えば持手部４を長さ１３０ｍｍ及び外径１０ｍｍの円柱形状部から形成し、持手部４の一端を柄部５の他端に直接固定しても良い。また、持手部４の両端部には、洗浄ブラシ装置１の使用者が手等を接触させて怪我をしないように、例えば半径２ｍｍに相当する曲部を設けても良い。なお、持手部４の色は、例えばオレンジ色や黄色等の明るい色を用いる。
【００１６】
柄部５は、洗浄基材部３及び持手部４と接合し吸い飲み容器２１の内部形状に合わせて屈曲可能に形成する。なお、本実施形態における柄部５を柄部５Ａとする。柄部５Ａは、例えば金属部材、熱硬化性樹脂部材、弾性部材等から成り、例えば長さ２４５ｍｍ及び外形３ｍｍの円柱形状部から形成される。また、柄部５Ａの一端は洗浄基材部３に挿入して固定し、柄部５Ａの他端は持手部４に挿入して固定する。洗浄ブラシ装置１は、上述した柄部５Ａを吸い飲み容器２１の内部形状に合わせて屈曲可能とさせた状態で設けることにより、持手部４の動作に洗浄部２を連動させることができる。なお、洗浄部２を柄部５Ａに直接巻き付ける等により固定することにより、洗浄基材部３を設けない構造としても良い。
【００１７】
次に、本実施形態の洗浄ブラシ装置１の使用について説明する。図３に洗浄ブラシ装置１の使用に係る模式図を示す。
【００１８】
本考案に係る洗浄ブラシ装置１は、吸い飲み容器２１の内部形状に合わせて屈曲可能とさせた柄部５Ａを設けることによって、吸い飲み容器２１の液体注入口２１Ａから洗浄ブラシ装置１を挿入し、吸い飲み容器２１の吸い飲み口２１Ｂに洗浄ブラシ装置１の洗浄部２を当接させた状態で、洗浄ブラシ装置１の持手部４を手で動作させることにより、洗浄部２を連動させることで、吸い飲み口２１Ｂの内壁に付着した付着物を洗浄することができる。従って、手が不自由な介護者であっても、大きな形状を有する持手部４をしっかりと掴んだ状態で、吸い飲み容器２１に設けられた大きな開口を有する液体注入口２１Ａから、洗浄ブラシ装置１を容易に挿入し、吸い飲み容器２１に設けられた小さな開口を有する吸い飲み口２１Ｂの内壁に円錐形状から成る洗浄部２を隙間無く当接させることができる。この状態で、洗浄ブラシ装置１の持手部４を手で動作させると、吸い飲み口２１Ｂの内壁に付着した粘度の高い栄養剤や溶き卵のような除去し難い付着物であっても、介護者の指先に過度な負担を掛けることなく、短時間で、容易に付着物を除去することができる。
【００１９】
以上、第１の実施形態によれば、介護等において必需品である吸い飲み容器２１を、本考案の洗浄ブラシ装置１を用いて、介護者の指先等に負担を掛けずに、短時間で、容易に洗浄することができる。
【００２０】
[第２の実施形態]
第２の実施形態に係る洗浄ブラシ装置１は、柄部５にスプリング部材１１を用いることにより、柄部５の耐久性を向上させて、洗浄ブラシ装置１の寿命を高めることを特徴とする。
【００２１】
以下、本考案の第２の実施形態に係る洗浄ブラシ装置１について説明する。なお、本実施形態における柄部５Ｂ以外の洗浄ブラシ装置１に係る構成は、前述の第１の実施形態で述べた洗浄ブラシ装置１の構成と同様である。そこで、本実施形態では、簡単のため重複した説明は省略し、柄部５Ｂについてのみ説明する。以下、柄部５Ｂについて、図４を用いて詳細に説明する。
【００２２】
柄部５Ｂは、洗浄基材部３及び持手部４と接合し吸い飲み容器２１の内部形状に合わせて屈曲可能に形成する。柄部５Ｂは、吸い飲み容器２１の内部形状に合わせて屈曲可能に形成したスプリング部材１１と、スプリング部材１１を保護する被覆膜１２から構成され、例えば長さ２４５ｍｍ、外形３ｍｍの円筒形状部から形成される。また、スプリング部材１１には、例えばＳＵＳ３１６の材質から成る直径０．５ｍｍのステンレス線を一定間隔で螺旋状に巻いて形成したものを用いる。また、スプリング部材１１が耐腐食性や耐衝撃性を十分に有する場合には、被覆膜１２を設ける必要は特に無い。また、柄部５Ｂの一端は洗浄基材部３に挿入して固定し、柄部５Ｂの他端は持手部４に挿入して固定する。
【００２３】
以上、第２の実施形態によれば、柄部５にスプリング部材１１を用いることにより、柄部５の耐久性を向上させて、洗浄ブラシ装置１の寿命を高めることができる。
【００２４】
[第３の実施形態]
第３の実施形態に係る洗浄ブラシ装置１は、柄部５に補強材１４を加えることにより、柄部５の耐久性を向上させて、洗浄ブラシ装置１の寿命を高めることを特徴とする。
【００２５】
以下、本考案の第３の実施形態に係る洗浄ブラシ装置１について説明する。なお、本実施形態における柄部５Ｃ以外の洗浄ブラシ装置１に係る構成は、前述の第１の実施形態で述べた洗浄ブラシ装置１の構成と同様である。そこで、本実施形態では、簡単のため重複した説明は省略し、柄部５Ｃについてのみ説明する。以下、柄部５Ｃについて、図５を用いて詳細に説明する。
【００２６】
柄部５Ｃは、洗浄基材部３及び持手部４と接合し吸い飲み容器２１の内部形状に合わせて屈曲可能に形成する。柄部５Ｃは、吸い飲み容器２１の内部形状に合わせて屈曲可能に形成した屈曲部材１３と、屈曲部材１３内に埋設する例えばメッシュ状の金属ワイヤから成る補強材１４から構成され、例えば長さ２４５ｍｍ、外形３ｍｍ、及び内径２ｍｍの円筒形状部から形成される。また、屈曲部材１３には、例えば前述した熱硬化性樹脂部材及び弾性部材等から形成される柄部５Ａを用いる。なお、補強材１４には、例えばＳＵＳ３０４の材質を用い、屈曲部材１３内に網目状もしくは螺旋状等に埋設する。また、柄部５Ｃの一端は洗浄基材部３に挿入して固定し、柄部５Ｃの他端は持手部４に挿入して固定する。
【００２７】
以上、第３の実施形態によれば、柄部５に補強材１４を加えることにより、柄部５の耐久性を向上させて、洗浄ブラシ装置１の寿命を高めることができる。
【００２８】
[第４の実施形態]
第４の実施形態に係る洗浄ブラシ装置１は、柄部５に螺旋管１５を用いることにより、柄部５の耐久性を向上させて、洗浄ブラシ装置１の寿命を高めることを特徴とする。
【００２９】
以下、本考案の第４の実施形態に係る洗浄ブラシ装置１について説明する。なお、本実施形態における柄部５Ｄ以外の洗浄ブラシ装置１に係る構成は、前述の第１の実施形態で述べた洗浄ブラシ装置１の構成と同様である。そこで、本実施形態では、簡単のため重複した説明は省略し、柄部５Ｄについてのみ説明する。以下、柄部５Ｄについて、図６を用いて詳細に説明する。
【００３０】
柄部５Ｄは、洗浄基材部３及び持手部４と接合し吸い飲み容器２１の内部形状に合わせて屈曲可能に形成する。柄部５Ｄは、吸い飲み容器２１の内部形状に合わせて屈曲可能に形成した螺旋管１５と、螺旋管１５を保護する被覆膜１６から構成され、例えば長さ２４５ｍｍ、外形３ｍｍ、及び内径２ｍｍの円筒形状部から形成される。また、螺旋管１５は、例えばステンレス製の円筒管の表面に波型の絞り加工をしたものから成り、波型を一波ずつ単独で連ねたワンピッチ構造タイプ、若しくは、波をスパイラル状に形成したスパイラル構造等を用いることができる。この様な螺旋管１５の材質には、例えばＳＵＳ４、ＳＵＳ３１６Ｌ、黄銅等を用いる。また、螺旋管１５が耐腐食性や耐衝撃性を十分に有する場合には、被覆膜１６を設ける必要は特に無い。また、柄部５Ｄの一端は洗浄基材部３に挿入して固定し、柄部５Ｄの他端は持手部４に挿入して固定する。
【００３１】
以上、第４の実施形態によれば、柄部５に螺旋管１５を用いることにより、柄部５の耐久性を向上させて、洗浄ブラシ装置１の寿命を高めることができる。
【００３２】
[第５の実施形態]
第５の実施形態に係る洗浄ブラシ装置１は、柄部５に線ブレード１８を被覆することにより、柄部５の耐久性を更に向上させて、洗浄ブラシ装置１の寿命を更に高めることを特徴とする。
【００３３】
以下、本考案の第５の実施形態に係る洗浄ブラシ装置１について説明する。なお、本実施形態における柄部５Ｅ以外の洗浄ブラシ装置１に係る構成は、前述の第１の実施形態で述べた洗浄ブラシ装置１の構成と同様である。そこで、本実施形態では、簡単のため重複した説明は省略し、柄部５Ｅについてのみ説明する。以下、柄部５Ｅについて、図７を用いて詳細に説明する。
【００３４】
柄部５Ｅは、洗浄基材部３及び持手部４と接合し吸い飲み容器２１の内部形状に合わせて屈曲可能に形成する。柄部５Ｅは、吸い飲み容器２１の内部形状に合わせて屈曲可能に形成した基材１７と、基材１７を被覆する線ブレード１８と、基材１７及び線ブレード１８を保護する被覆膜１９から構成され、例えば長さ２４５ｍｍ、外形３ｍｍ、及び内径２ｍｍの円筒形状部から形成される。また、基材１７には、例えば前述した柄部５Ａ、柄部５Ｂ、柄部５Ｃ、及び柄部５Ｄ等を用いる。また、線ブレード１８には、例えばＳＵＳ３０４の材質を用い、基材１７表面に一定幅で網目状に編み込むことにより形成する。なお、基材１７及び線ブレード１８が耐腐食性や耐衝撃性を十分に有する場合には、被覆膜１９を設ける必要は特に無い。また、柄部５Ｅの一端は洗浄基材部３に挿入して固定し、柄部５Ｅの他端は持手部４に挿入して固定する。
【００３５】
以上、第５の実施形態によれば、柄部５に線ブレード１８を被覆することにより、柄部５の耐久性を更に向上させて、洗浄ブラシ装置１の寿命を更に高めることができる。
【００３６】
また、上述の第１乃至第５の実施形態においては、洗浄ブラシ装置１を吸い飲み容器２１の洗浄器具として説明したが、本実施形態の洗浄ブラシ装置１を急須、やかん、及びポット等の洗浄器具としても良い。
【図面の簡単な説明】
【００３７】
【図１】本考案の第１の実施形態の洗浄ブラシ装置を示す斜視図である。
【図２】本考案の第１の実施形態の洗浄ブラシ装置を示す断面図である。
【図３】本考案の第１の実施形態の洗浄ブラシ装置の使用に係る模式図である。
【図４】本考案の第２の実施形態の洗浄ブラシ装置に係る柄部を示す斜視図である。
【図５】本考案の第３の実施形態の洗浄ブラシ装置に係る柄部を示す斜視図である。
【図６】本考案の第４の実施形態の洗浄ブラシ装置に係る柄部を示す斜視図である。
【図７】本考案の第５の実施形態の洗浄ブラシ装置に係る柄部を示す斜視図である。
【符号の説明】
【００３８】
１  洗浄ブラシ装置
２  洗浄部
３  洗浄基材部
４  持手部
５，５Ａ，５Ｂ，５Ｃ，５Ｄ，５Ｅ  柄部
６  洗浄毛
１１  スプリング部材
１２  被覆膜
１３  屈曲部材
１４  補強材
１５  螺旋管
１６  被覆膜
１７  基材
１８  線ブレード
１９  被覆膜
２１  吸い飲み容器
２１Ａ  液体注入口
２１Ｂ  吸い飲み口
【図１】
0003146257.tif 000003
【図２】
0003146257.tif 000004
【図３】
0003146257.tif 000005
【図４】
0003146257.tif 000006
【図５】
0003146257.tif 000007
【図６】
0003146257.tif 000008
【図７】
0003146257.tif 000009